(57)【特許請求の範囲】
【請求項１】
ベース基材上に形成された複数の表示電極からなる第１の電極層と、前記第１の電極層の前記ベース基材とは反対側に対向配置された第２の電極層と、前記第１の電極層と前記第２の電極層との間に挟み込まれた情報表示層と、前記ベース基材の前記第１の電極層が形成された面に前記複数の表示電極に接続されて形成された配線と、前記情報表示層を用いて可変情報を表示する可変表示部とを有し、前記複数の表示電極と前記第２の電極層との間の電位差が前記複数の表示電極毎に第１及び第２の電位差のいずれか一方とされることにより、前記可変表示部を前記第２の電極層側から見た場合に、前記情報表示層の前記第１の電位差とされた領域にて黒系色を表示するとともに、前記情報表示層の前記第２の電位差とされた領域にて白系色を表示することにより、前記可変表示部にて前記白系色を背景色として前記黒系色で情報を表示する情報表示装置において、
前記第２の電極層の前記情報表示層とは反対側において、前記可変表示部のうち前記複数の表示電極に対向しない領域の全面に形成された隠蔽層を有し、
前記隠蔽層は、該隠蔽層の透過率が０〜５％であり、その表示色が、前記情報表示層の前記第２の電位差とされた領域にて表示される白系色となり、かつ、その反射率が、前記情報表示層の前記第２の電位差とされた領域における前記第２の電極層側の反射率と略等しくなるように混合されたインキを用いて形成されている情報表示装置。
【請求項２】
請求項１に記載の情報表示装置において、
前記隠蔽層の前記第２の電極層とは反対側の面の一部に、白色インキがベタ印刷されてなるコントラスト強調層を有する情報表示装置。
【発明の詳細な説明】
【技術分野】
【０００１】
本発明は、対向配置された２つの電極層間に挟み込まれた情報表示層において電極層に印加される電圧に基づいて黒系色と白系色のいずれか一方を表示することにより白系色を背景色として黒系色で情報を表示する情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電圧が印加された場合に帯電性粒子が液体内を移動することにより、情報を表示する電気泳動ディスプレイがある。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図４は、一般的な電気泳動ディスプレイの積層構造を示す図であり、（ａ）は全体の積層構造を示す図、（ｂ）は（ａ）に示したＡ部拡大図である。
【０００５】
一般的な電気泳動ディスプレイは図４（ａ）に示すように、ガラスや透明フィルム等からなる透明基板１２２の一方の面に透明電極（例えば、ＩＴＯ：Indium Tin Oxide）１２１が形成されてなる透明導電膜基板１２０と、ベース基材１１３上に積層された絶縁層１１５との間に情報表示層１３０が挟み込まれて構成されている。
【０００６】
絶縁層１１５の情報表示層１３０に対向する面には、情報表示層１３０を用いて情報を表示するための複数の表示電極１１１が形成されており、また、絶縁層１１５の情報表示層１３０とは反対側の面には、表示電極１１１に電圧を印加するための配線１１２が形成されており、複数の表示電極１１１は、絶縁層１１５に形成された導通部１１４を介して配線１１２に接続されている。
【０００７】
情報表示層１３０は、図４（ｂ）に示すように、隔壁１３１とシール層１３４とで囲まれた領域に、帯電性粒子１３３が分散した隔壁内液体１３２が収容されて構成されている。隔壁１３１は、底部と、情報表示層１３０の外周部となる側部と、側部で囲まれた領域を複数の領域に区画するための壁部とからなり、底部とは反対側の面が開口した形状となっている。そして、底部側が透明導電膜基板１２０に対向するように積層されており、開口した側にシール層１３４が積層されている。
【０００８】
上記のように構成された電気泳動ディスプレイにおいては、表示電極１１１に選択的に電圧が印加されると、表示電極１１１と透明電極１２１との間に生じた電位差によって隔壁内液体１３２内にて帯電性粒子１３３がクーロン力で移動し、表示電極１１１と透明電極１２１のいずれか一方の側に引き寄せられる。そして、隔壁内液体１３２が染料または顔料で着色されており、帯電性粒子１３３が高屈折率の光散乱成分を含むため、透明導電膜基板１２０側から見た場合、表示電極１１１側に帯電性粒子１３３が引き寄せられた領域が黒系色に見え、また、透明電極１２１側に帯電性粒子１３３が引き寄せられた領域が白系色に見え、これら見える色の違いによって所望の情報が表現されることになる。
【０００９】
ここで、上述したような電気泳動ディスプレイにおいては、表示電極１１１と配線１１２とを接続するために絶縁層１１５に導通部１１４を形成する必要があるが、表示電極１１１に電圧を印加するための配線１１２を複数の表示電極１１１間に配置することにより、絶縁層１１５に導通部１１４を形成する必要がなくなり、そのための工程が不要となり、さらには、絶縁層１１５自体も不要となり、コストダウンを図ることができる。
【００１０】
ところが、複数の表示電極１１１間に配線１１２を配置した場合、表示電極１１１に配線１１２を介して選択的に電圧が印加されると、情報表示部１３０の配線１１２に対向する領域においても、上記同様に、配線１１２と透明電極１２１との間に生じた電位差によって隔壁内液体１３２内にて帯電性粒子１３３がクーロン力で移動し、透明導電膜基板１２０側から見た場合、配線１１２側に帯電性粒子１３３が引き寄せられた領域が黒系色に見え、また、透明電極１２１側に帯電性粒子１３３が引き寄せられた領域が白系色に見え、それにより、表示電極１１１によって表示される情報の視認性が低下してしまう場合がある。
【００１１】
ここで、情報表示層１３０のうち、表示電極１１１間に配置された配線１１２に対向する領域に隠蔽部を形成し、それにより、表示電極１１１によって表示される情報の視認性の低下を回避する技術が考えられている（例えば、特許文献１参照。）。ところが、このように情報表示層１３０に隠蔽部を形成したものにおいては、表示したい情報、すなわち、表示電極１１１及び配線１１２の配置に応じて情報表示層１３０の形態が一義的に決まってしまうため、情報表示層１３０の汎用性がなくなってしまう。
【００１２】
そこで、透明導電膜基板１２０の表面、あるいは透明導電膜基板１２０上に積層されたマスクフィルムの表面において配線１１２に対向する領域に印刷によって隠蔽部を設けることが考えられる。このように印刷によって隠蔽部を設ければ、表示する情報に応じて情報表示層１３０自体に特別な加工をする必要がなくなり、情報表示層１３０の汎用性がなくなることはない。
【先行技術文献】
【特許文献】
【００１３】
【特許文献１】特許第３０９９０４８号公報
【発明の概要】
【発明が解決しようとする課題】
【００１４】
上述したような隠蔽部は、配線に対向する領域、すなわち、表示電極に対向する領域の周囲に設けられることになるが、隠蔽効果がある隠蔽インキの色が、表示電極に対向する領域にて表示される黒系色や白系色とは異なる色であるため、情報が表示される領域においては、黒系色と白系色と隠蔽部の色との３色が表示されることとなり、表示される情報の視認性が大きく低下してしまうことになる。特に、白系色を背景色として黒系色で情報を表示する場合、背景の中に隠蔽部の色が目立つこととなってしまい好ましくない。
【００１５】
そこで、透明導電膜基板の表面や、透明導電膜基板上に積層されたマスクフィルムの表面に、隠蔽インキによる層を積層してその上に白色系のインクによる層を積層することによって２層構造の隠蔽部を形成し、それにより、視認性を低下させることなく配線による情報表示層の表示色を隠蔽することが考えられる。
【００１６】
ところが、透明導電膜基板の表面や、透明導電膜基板上に積層されたマスクフィルムの表面に２層構造の隠蔽部を形成する場合、隠蔽インキによる層と白色系のインクによる層との間にて位置ずれが生じる虞れがあり、位置ずれが生じた場合、位置ずれが生じた領域においてそのずれによる色の違いが生じてしまい、情報の視認性がさらに低下してしまうという問題点がある。なお、この隠蔽インキ及び白色系のインクの積層をインクジェット印刷によって行えば、隠蔽インキによる層と白色系のインクによる層との間にて位置ずれは生じにくいが、製造コストが高くなってしまう。
【００１７】
本発明は、上述したような従来の技術が有する問題点に鑑みてなされたものであって、複数の表示電極に対向する領域にて黒系色と白系色のいずれか一方を表示することにより白系色を背景色として黒系色で情報を表示する情報表示装置において、表示電極に接続された配線が表示電極に近接する領域に配置されている場合においても、印刷による位置ずれを生じさせることなく視認性の低下を回避することができる情報表示装置を提供することを目的とする。
【課題を解決するための手段】
【００１８】
上記目的を達成するために本発明は、
ベース基材上に形成された複数の表示電極からなる第１の電極層と、前記第１の電極層の前記ベース基材とは反対側に対向配置された第２の電極層と、前記第１の電極層と前記第２の電極層との間に挟み込まれた情報表示層と、前記ベース基材の前記第１の電極層が形成された面に前記複数の表示電極に接続されて形成された配線と、前記情報表示層を用いて可変情報を表示する可変表示部とを有し、前記複数の表示電極と前記第２の電極層との間の電位差が前記複数の表示電極毎に第１及び第２の電位差のいずれか一方とされることにより、前記可変表示部を前記第２の電極層側から見た場合に、前記情報表示層の前記第１の電位差とされた領域にて黒系色を表示するとともに、前記情報表示層の前記第２の電位差とされた領域にて白系色を表示することにより、前記可変表示部にて前記白系色を背景色として前記黒系色で情報を表示する情報表示装置において、
前記第２の電極層の前記情報表示層とは反対側において、前記可変表示部のうち前記複数の表示電極に対向しない領域の全面に形成された隠蔽層を有し、
前記隠蔽層は、該隠蔽層の透過率が０〜５％であり、その表示色が、前記情報表示層の前記第２の電位差とされた領域にて表示される白系色となり、かつ、その反射率が、前記情報表示層の前記第２の電位差とされた領域における前記第２の電極層側の反射率と略等しくなるように混合されたインキを用いて形成されている。
【００１９】
上記のように構成された本発明においては、ベース基材上に形成され、第１の電極層を構成する複数の表示電極と第２の電極層との間の電位差が複数の表示電極毎に第１及び第２の電位差のいずれか一方とされることにより、可変表示部を第２の電極層側から見た場合に、情報表示層の第１の電位差とされた領域にて黒系色が表示されるとともに、情報表示層の第２の電位差とされた領域にて白系色が表示されることにより、可変表示部にて白系色を背景色として黒系色で情報が表示されることになるが、ベース基材の第１の電極層が形成された面には、複数の表示電極に接続された配線が形成されているため、配線と第２の電極層との間の電位差もこの配線に接続された表示電極と第２の電極層との電位差となり、それにより、配線に対向する領域においても、黒系色と白系色とのいずれか一方が表示されることになる。ところが、可変表示部においては、第２の電極層の情報表示層とは反対側において、複数の表示電極に対向しない領域の全面に隠蔽層が形成されており、この隠蔽層の透過率が０〜５％であり、また、その表示色が、情報表示層の第２の電位差とされた領域にて表示される白系色となり、かつ、その反射率が、情報表示層の第２の電位差とされた領域における第２の電極層側の反射率と略等しくなるように混合されたインキを用いて隠蔽層が形成されているので、隠蔽層が１層構造で構成されながらも隠蔽機能が発揮され、視認性の低下が回避されることとなる。
【００２０】
また、隠蔽層の第２の電極層とは反対側の面の一部に、白色インキがベタ印刷されてなるコントラスト強調層を設けることにより、表面に任意の情報を印刷した場合に、その情報の視認性が向上する。
【発明の効果】
【００２１】
以上説明したように本発明においては、第２の電極層の情報表示層とは反対側において可変表示部のうち複数の表示電極に対向しない領域の全面に隠蔽層が形成されており、この隠蔽層の構成が、隠蔽層の透過率が０〜５％であり、その表示色が、情報表示層にて背景色となる白系色となり、かつ、その反射率が、情報表示層にて背景色が表示される領域における第２の電極層側の反射率と略等しくなるように混合されたインキを用いて形成されているものとしたため、隠蔽層が１層構造で構成されながらも隠蔽機能が発揮され、表示電極に接続された配線が表示電極に近接する領域に配置されている場合においても、印刷による位置ずれを生じさせることなく配線による視認性の低下を回避することができる。
【００２２】
また、隠蔽層の第２の電極層とは反対側の面の一部に、白色インキがベタ印刷されてなるコントラスト強調層を有するものにおいては、表面に任意の情報を印刷した場合に、その情報の視認性を向上させることができる。
【図面の簡単な説明】
【００２３】
【図１】本発明の情報表示装置の実施の一形態を示す図であり、（ａ）は表面図、（ｂ）は（ａ）に示したＡ−Ａ’断面図、（ｃ）は（ｂ）に示したＡ部拡大図、（ｄ）は可変表示部におけるベース基材上の構成を示す図、（ｅ）は隠蔽層の形状を示す図である。
【図２】図１に示した情報表示装置の動作を説明するための図である。
【図３】図１に示した情報表示装置における情報の見え方を示す図であり、（ａ）は可変表示部の状態を示す図、（ｂ）は全体の状態を示す図である。
【図４】一般的な電気泳動ディスプレイの積層構造を示す図であり、（ａ）は全体の積層構造を示す図、（ｂ）は（ａ）に示したＡ部拡大図である。
【発明を実施するための形態】
【００２４】
以下に、本発明の実施の形態について図面を参照して説明する。
【００２５】
図１は、本発明の情報表示装置の実施の一形態を示す図であり、（ａ）は表面図、（ｂ）は（ａ）に示したＡ−Ａ’断面図、（ｃ）は（ｂ）に示したＡ部拡大図、（ｄ）は可変表示部２におけるベース基材１３上の構成を示す図、（ｅ）は隠蔽層４２の形状を示す図である。
【００２６】
本形態は図１に示すように、一方の面に第１の電極層を構成する複数の表示電極１１ａ〜１１ｉ及び配線１２ａ〜１２ｉが形成されたベース基材１３と、ベース基材１３の表示電極１１ａ〜１１ｉ及び配線１２ａ〜１２ｉが形成された面に対向配置された透明導電膜基板２０との間に、情報表示層３０が挟み込まれて構成されている。さらに、透明導電膜基板２０の情報表示層３０とは反対側の面には、透明な材料からなるマスクフィルム４１が積層され、このマスクフィルム４１上の一部に隠蔽層４２が形成され、隠蔽層４２上の一部にコントラスト強調層４３が形成され、コントラスト強調層４３上に「イベントまであと」や「日」という任意の情報４が印字されてなる印字層４４が形成されている。
【００２７】
ベース基材１３は、例えばＰＥＴ等からなり、情報表示層３０と対向する面に、例えば、銀ペーストやカーボンペースト等の導電ペーストや導電インキを用いたスクリーン印刷によって表示電極１１ａ〜１１ｉ及び配線１２ａ〜１２ｉが形成されている。
【００２８】
表示電極１１ａ〜１１ｉは、ベース基材１３上に、表示される情報に応じたパターンで形成されている。本形態は、この表示電極１１ａ〜１１ｉを用いて数字を表示するものであって、表示電極１１ａ〜１１ｉによって９つのセグメントからなる表示部を構成し、この表示電極１１ａ〜１１ｉに対して選択的に電圧が印加され、“０”〜“９”の数字を表示することができる。配線１２ａ〜１２ｉは、ベース基材１３の表示電極１１ａ〜１１ｉが形成された面において、その一端がそれぞれ表示電極１１ａ〜１１ｉに接続され、そこから９つのセグメントからなる表示部の外部に引き出され、他端が、表示電極１１ａ〜１１ｉに選択的に電圧を印加するための回路（不図示）に接続されて形成されている。そして、表示電極１１ａ〜１１ｉには、これら配線１２ａ〜１２ｉを介して選択的に電圧が印加されることになる。ここで、表示電極１１ａ〜１１ｄ，１１ｆ〜１１ｉに電圧を印加するための配線１２ａ〜１２ｄ，１２ｆ〜１２ｉは、表示電極１１ａ〜１１ｄ，１１ｆ〜１１ｉの外側に他の表示電極が存在しないことから、表示電極１１ａ〜１１ｄ，１１ｆ〜１１ｉに接続された一端からそのまま表示部の外部に引き出されているが、表示電極１１ｅに電圧を印加するための配線１２ｅは、表示電極１１ｅが他の表示電極１１ａ〜１１ｄ，１１ｆ〜１１ｉに囲まれて配置されているため、表示電極１１ｅに接続された一端から、互いに隣接する２つの表示電極１１ａ，１１ｄ間を通って表示部の外部に引き出されている。
【００２９】
透明導電膜基板２０は、ガラスや透明フィルム等からなる透明基板２２の一方の面に第２の電極層となる透明電極（例えば、ＩＴＯ）２１が形成されて構成されており、表示電極１１ａ〜１１ｉと透明電極２１とが対向配置し、これら表示電極１１ａ〜１１ｉと透明電極２１との間に情報表示層３０が挟み込まれている。
【００３０】
情報表示層３０は、隔壁３１とシール層３４とで囲まれた領域に、帯電性粒子３３が分散した隔壁内液体３２が収容されて構成されており、表示電極１１ａ〜１１ｉと透明電極２１との間に生じた電位差によって帯電性粒子３３が隔壁内液体３２中を移動することによって情報を表示する。なお、隔壁３１は、底部と、情報表示層３０の外周部となる側部と、側部で囲まれた領域を、例えば１３０μｍ□で複数の領域に区画するための壁部とからなり、底部とは反対側の面が開口した形状となっている。そして、底部側が透明電極２１に対向するように積層されており、開口した側にシール層３４が積層されている。
【００３１】
隠蔽層４２は、透明基板２２上に積層されたマスクフィルム４１の表面のうち、表示電極１１ａ〜１１ｉに対向しない領域の全面に印刷によって形成されており、その材料は後述する。
【００３２】
コントラスト強調層４３は、隠蔽層４２上の一部に白色インキがベタ印刷されることによって形成されており、印字層４４によって情報４が表示される固定表示部３の背景部を構成している。
【００３３】
以下に、上記のように構成された情報表示装置１の動作について説明する。
【００３４】
図２は、図１に示した情報表示装置１の動作を説明するための図であり、表示電極１１ｄ，１１ｅ，１１ｆが設けられた領域の断面を示す。
【００３５】
上記のように構成された情報表示装置１においては、透明電極２１に所定の電圧が印加されるとともに、表示電極１１ａ〜１１ｉに選択的に電圧が印加されると、表示電極１１ａ〜１１ｉと透明電極２１との間に生じた電位差によって隔壁内液体３２内にて帯電性粒子３３がクーロン力で移動し、表示電極１１ａ〜１１ｉと透明電極２１のいずれか一方の側に引き寄せられていく。そして、隔壁内液体３２が染料または顔料で黒色に着色されており、帯電性粒子３３が高屈折率の光散乱成分を含むため、透明導電膜基板２０側から見た場合、表示電極１１ａ〜１１ｉ側に帯電性粒子３３が引き寄せられた領域が黒系色に見え、また、透明電極２１側に帯電性粒子３３が引き寄せられた領域が白系色に見え、これら見える色の違いによって所望の情報が表現されることになる。
【００３６】
例えば、透明電極２１が０Ｖとされた状態で、表示電極１１ｄにプラスの電圧が印加されるとともに、表示電極１１ｅ，１１ｆにマイナスの電圧が印加されると、情報表示層３０の表示電極１１ｄに対向する領域においては、表示電極１１ｄに対して透明電極２１側が第２の電位差となるマイナスとなる電位差が生じ、また、情報表示層３０の表示電極１１ｅ，１１ｆに対向する領域においては、表示電極１１ｅ，１１ｆに対して透明電極２１側が第１の電位差となるプラスとなる電位差が生じる。すると、隔壁３１及びシール層３４で囲まれた領域に収容された隔壁内液体３２が誘電性物質からなり、帯電性粒子３３がプラス電位に帯電しているものであることから、図２に示すように、情報表示層３０の表示電極１１ｄに対向する領域においては、帯電性粒子３３が透明電極２１側に引き寄せられていき、また、情報表示層３０の表示電極１１ｅ，１１ｆに対向する領域においては、帯電性粒子３３が表示電極１１ｅ，１１ｆ側に引き寄せられていく。
【００３７】
そして、隔壁内液体３２が染料または顔料で着色されており、帯電性粒子３３が高屈折率の光散乱成分を含むため、この情報表示装置１を透明導電膜基板２０側から見た場合、可変表示部２において、表示電極１１ｄに対向する領域にて白系色が表示され、また、表示電極１１ｅ，１１ｆに対向する領域にて黒系色が表示されるようになる。
【００３８】
このように、透明電極２１に所定の電圧が印加されるとともに、表示電極１１ａ〜１１ｉに選択的に電圧が印加されることにより、可変表示部２にて白系色を背景色として黒系色で“０”〜“９”の数字が表示されることになる。
【００３９】
ここで、隠蔽層４２による作用について説明する。
【００４０】
隠蔽層４２は、隠蔽インキと、黒色インキと白色インキとを含む色調整用インキとが混合されたインキを用いた印刷によって１層構造で形成されている。隠蔽インキは、隠蔽機能を発揮するために、アルミ等の隠蔽機能を有する材料を含んで構成されている。そのため、隠蔽インキのみで隠蔽層４２を構成した場合、情報表示層３０にて表示される黒系色や白系色を隠蔽することができるものの、隠蔽層４２の色が銀色に近い色となってしまい、可変表示部２にて３色が表示されてしまうことになる。
【００４１】
そこで、本形態においては、隠蔽インキが含有された混合インキを用い、その含有率を１０〜４０％とし、さらに、白色インキと黒色インキ、その他、黄色等のインキからなる色調整用インキを混合して隠蔽層４２の色を調整する。隠蔽インキは、１０％含有されていれば隠蔽機能を発揮するため、最低１０％でよい。また、隠蔽インキが含有されたものであっても、上述したような色調整用インキによって、情報表示層３０のうち帯電性粒子３３が透明電極２１側に引き寄せられた領域にて表示される白系色と同一の色とすることができるのであれば、隠蔽インキは４０％まで含有させることができる。このような配合とすることにより、隠蔽層４２の透過率を０〜５％とすることができ、それにより、表示電極１１ａ〜１１ｉ以外の領域における情報表示層３０による表示色を隠蔽することができるようになる。なお、隠蔽層４２の透過率は、０〜１％が好ましく、また、０〜０．３％がより好ましい。
【００４２】
また、情報表示装置１を透明導電膜基板２０側から見た場合に、可変表示部２において、隠蔽層４２の色が、情報表示層３０のうち帯電性粒子３３が透明電極２１側に引き寄せられた領域にて表示される白系色と同一の色に見えるようにするためには、上記のようにただ単に色を合わせただけでは不十分で、その反射率を合わせる必要がある。情報表示層３０のうち帯電性粒子３３が透明電極２１側に引き寄せられた領域における情報表示層３０表面における反射率ａは、一般的に２６〜４３％である。そこで、隠蔽層４２の反射率ｂが、２０〜５０％となるように、隠蔽インキと上述した色調整用インキとの混合の割合を調整する。なお、隠蔽層４２が形成されたマスクフィルム４１の反射率を測定する際、反射率測定時に用いる下地の反射濃度が０．０７の白板のときの反射率をＸ、下地の反射濃度が１．５２の黒板のときの反射率をＹとした場合に、ｌｏｇ10（１／Ｙ）−ｌｏｇ10（１／Ｘ）≦０．１５を満たすようにすれば、マスクフィルム４１上に形成された隠蔽層４２によって、下地の影響を受けない程度に隠蔽効果が生ずることになって好ましい。なお、反射濃度は、ｌｏｇ10（１／反射率）で算出される値である。
【００４３】
上記のように隠蔽インキと色調整用インキとが混合されたインキを用いた印刷によって隠蔽層４２を形成することにより、情報表示装置１を透明導電膜基板２０側から見た場合に、可変表示部２において、隠蔽層４２の色が、情報表示層３０のうち帯電性粒子３３が透明電極２１側に引き寄せられた領域にて表示される白系色と同一の色に見えるようになる。
【００４４】
図３は、図１に示した情報表示装置１における情報の見え方を示す図であり、（ａ）は可変表示部２の状態を示す図、（ｂ）は全体の状態を示す図である。
【００４５】
隠蔽層４２を上記のように構成することにより、情報表示装置１を透明導電膜基板２０側から見た場合に、隠蔽層４２の色が、情報表示層３０のうち帯電性粒子３３が透明電極２１側に引き寄せられた領域にて表示される白系色と同一の色に見えるようになるため、可変表示部２においては、図３（ａ）に示すように、表示電極１１ｂ，１１ｃ，１１ｅ，１１ｆ，１１ｈ，１１ｉに対向する領域において帯電性粒子３３を表示電極１１ｂ，１１ｃ，１１ｅ，１１ｆ，１１ｈ，１１ｉ側に引き寄せ、表示電極１１ａ，１１ｄ，１１ｇに対向する領域において帯電性粒子３３を透明電極２１側に引き寄せることによって、表示電極１１ｂ，１１ｃ，１１ｅ，１１ｆ，１１ｈ，１１ｉに対向する領域にて黒系色による情報“３”を表示した場合、表示電極１１ａ，１１ｄ，１１ｇに対向する領域の白系色と、表示電極１１ａ〜１１ｉに対向しない領域における色とが同一色に見えることとなる。
【００４６】
それにより、図３（ｂ）に示すように、可変表示部２において、白系色を背景色として黒系色によって“３”が表示されることになる。また、表示電極１１ｂ，１１ｃ，１１ｅ，１１ｆ，１１ｈ，１１ｉに接続された配線１２ｂ，１２ｃ，１２ｅ，１２ｆ，１２ｈ，１２ｉに対向する領域においても、帯電性粒子３３が配線１２ｂ，１２ｃ，１２ｅ，１２ｆ，１２ｈ，１２ｉ側に引き寄せられることによって情報表示層３０においては黒系色が表示されるが、隠蔽層４２によってその黒系色が隠蔽されることになる。
【００４７】
このように本形態においては、透明導電膜基板２０の情報表示層３０とは反対側に積層されたマスクフィルム４１上において、表示電極１１ａ〜１１ｉに対向しない領域の全面に隠蔽層４２が形成されており、この隠蔽層４２の透過率が０〜５％であり、また、その表示色が、情報表示層３０にて背景色となる白系色となり、かつ、その反射率が、情報表示層３０にて背景色が表示される領域における反射率と略等しくなるように混合されたインキを用いて隠蔽層４２が形成されている構成としたため、印刷による位置ずれを生じさせることなく、表示電極１１ａ〜１１ｉに接続された配線１２ａ〜１２ｉによる視認性の低下を回避することができる。
【００４８】
また、固定表示部３においては、任意の情報４が印字されているが、この情報４は、隠蔽層４２上に印字されているのではなく、白色インキがベタ印刷されることによって形成されたコントラスト強調層４３を背景部として印字されているため、その情報４の視認性を向上させることができる。
【００４９】
なお、本形態においては、情報表示層３０に積層されたマスクフィルム４１の表面のうち、表示電極１１ａ〜１１ｉに対向しない領域の全面に隠蔽層４２が形成されているが、マスクフィルム４１の表面のうち、可変表示部２内にて表示電極１１ａ〜１１ｉに対向しない領域の全面に隠蔽層４２を形成すればよい。
【００５０】
また、本形態にて用いたマスクフィルム４１の代わりに、透明基材上に水蒸気を通しにくい材料からなる透明バリア層が積層されたバリアフィルムを用いるとともに、ベース基材１３として、その表面にアルミ層等、水蒸気バリア性を有する層が積層された構成とすることにより、情報表示装置１の表裏から内部への水蒸気の侵入を抑制することができる。さらには、上述したバリアフィルムとベース基材１３とを、その周囲にてホットメルト等の水蒸気バリア性を有する接着手段によって接着すれば、表示電極１１ａ〜１１ｉ、情報表示層３０及び透明導電膜基板２０を封止することができる。  また、本形態においては、情報表示層３０として、隔壁内液体３２に分散した帯電性粒子３３が、表示電極１１ａ〜１１ｉと透明電極２１との間の電位差によって表示電極１１ａ〜１１ｉ側または透明電極２１側に移動して表示が切り替わる垂直型電気泳動方式の薄型表示部材を例に挙げて説明したが、情報表示層３０としては、電圧が印加されることにより情報を表示する情報表示層を有するものであれば、コレステリック液晶や電子粉粒タイプのもの等、適宜適用することができる。
【符号の説明】
【００５１】
１    情報表示装置
２    可変表示部
３    固定表示部
４    情報
１１ａ〜１１ｉ    表示電極
１２ａ〜１２ｉ    配線
１３    ベース基材
２０    透明導電膜基板
２１    透明電極
２２    透明基板
３０    情報表示層
３１    隔壁
３２    隔壁内液体
３３    帯電性粒子
３４    シール層
４１    マスクフィルム
４２    隠蔽層
４３    コントラスト強調層
４４    印字層
【図１】
0005417266.tif 000002
【図２】
0005417266.tif 000003
【図３】
0005417266.tif 000004
【図４】
0005417266.tif 000005